(57)【要約】【課題】バックアップ・リストアプログラムにより、リストア処理をおこなうときに、バックアップ・リストア管理プログラムが提供するコマンド等を用いてバックアップ識別子を取得する必要がある。この時、特に人間がコマンド実行をした場合に生じる間違いをなくし、そのための手間を軽減する。【解決手段】データのバックアップ実行時に、バックアップ・リストアプログラムがバックアップ処理の管理のために作成したバックアップ識別子を取得し、バックアップ識別子を含んだリストア定義ファイルを作成する。データのリストア実行時には、リストア定義ファイル名を指定して、作成されたリストア定義ファイルによりリストアをおこなうようにする。【選択図】        図２
2004355093.tif 000002
【特許請求の範囲】
【請求項１】
計算機システムのストレージ装置に格納されたデータを、バックアップ・リストアプログラムによりデータのバックアップ・リストアをおこなうデータのバックアップ・リストア方法において、
データのバックアップ実行時に、前記バックアップ・リストアプログラムがバックアップ処理の管理のために作成したバックアップ識別子を取得する手順と、
前記バックアップ識別子を含んだリストア定義情報を作成する手順とを有することを特徴とするデータのバックアップ・リストア方法。
【請求項２】
前記バックアップ識別子を取得する手順で、前記バックアップ識別子を、前記バックアップ・リストアプログラムで実行されるバックアップ実行コマンドの標準出力ファイルヘの出力から取得することを特徴とする請求項１記載のデータのバックアップ・リストア方法。
【請求項３】
計算機システムのストレージ装置に格納されたデータを、バックアップ・リストアプログラムによりデータのバックアップ・リストアをおこなうデータのバックアップ・リストア方法において、
データのバックアップ実行時に、前記バックアップ・リストアプログラムがバックアップ処理の管理のために作成したバックアップ識別子を取得し、
前記バックアップ識別子を含んだリストア定義ファイルを作成して、
データのリストア実行時に、前記リストア定義ファイルによりリストアをおこなうことを特徴とするデータのバックアップ・リストア方法。
【請求項４】
前記リストア定義ファイルのファイル名を、ユーザが指定することを特徴とする請求項３記載のデータのバックアップ・リストア方法。
【請求項５】
前記リストア定義ファイルのファイル名を、自動生成することを特徴とする請求項３記載のデータのバックアップ・リストア方法。
【請求項６】
計算機システムのストレージ装置に格納されたデータのバックアップ・リストアをおこなうためのバックアップ・リストア管理プログラムにおいて、
データのバックアップ実行時に、バックアップ処理の管理のためにバックアップ識別子を作成する機能と、
作成されたバックアップ識別子を取得する機能と、
前記バックアップ識別子を含んだリストア定義ファイルを作成する機能と、
データのリストア実行時に、前記リストア定義ファイルによりリストアをおこなう機能とを計算機により実行することを特徴とするバックアップ・リストア管理プログラム。
【請求項７】
請求項６記載のバックアップ・リストア管理プログラムが記録された計算機読取り可能な記録媒体。
【発明の詳細な説明】
【０００１】
【発明の属する技術分野】
本発明は、データのバックアップ・リストア方法、および、バックアップ・リストア管理プログラムに係り、データのバックアップ実行時に作成されるバックアップ識別子を利用して、ユーザがリストアをおこないやすくするためのデータのバックアップ・リストア方法、および、バックアップ・リストア管理プログラムに関する。
【０００２】
【従来の技術】
企業などがコンピュータシステム上で保有するデータ量は膨大なものとなり、さらに増加する一方である。このような状況のなか、保有するデータのバックアップの重要性は高まる。しかしながら、いくらデータのバックアップをおこなっても、リストアが円滑に実行できなければ、バックアップの価値は半減する。この意味で、バックアップはリストアと一体であるといえる。
【０００３】
リストア処理をおこなう際には、リストアする対象を特定するために、過去におこなったバックアップ処理を特定する必要がある。そのために、バックアップ処理がバックアップ・リストアプログラムにより実行された時、当該バックアップに対してバックアップ・リストアプログラムによりバックアップ識別子を割り当てる手法がある。
【０００４】
このバックアップ識別子は、過去におこなったバックアップ処理を特定するものである。バックアップ識別子は、バックアッププログラムが管理するバックアップカタログで管理される。そして、リストア時に、バックアップ識別子を指定することによりリストア対象、バックアップの種類などを特定することができる。
【０００５】
このようになバックアップ識別子によるバックアップ・リストアについては、下記の非特許文献１に記載がある。
【０００６】
【非特許文献１】
ＨｉＣｏｍｍａｎｄ  Ｐｒｏｔｅｃｔｉｏｎ  Ｍａｎａｇｅｒ  Ｕｓｅｒ’ｓ  Ｇｕｉｄｅ  Ｅｄｉｔｉｏｎ  Ｉ  （３０２０−３−Ｄ５３−１０（Ｅ））；Ｊｕｎｅ，  ２００２，  Ｈｉｔａｃｈｉ，  Ｌｔｄ，  ｐｐ．  ２７−２８，  ｐｐ．  ８３−９４
【０００７】
【発明が解決しようとする課題】
上記のようなバックアップ識別子によりリストアをおこなうソフトウェアでは、リストア処理を定義する場合、バックアップ・リストア管理プログラムが提供するコマンド等を用いてバックアップ識別子を取得する必要がある。このバックアップ識別子の取得時に、特に人間がコマンド実行をした場合には、間違いが発生する可能性がある。例えば、ディスプレー装置に表示された、バックアップ識別子取得のためのコマンドの実行結果の読み取りを間違って、間違ったバックアップ識別子を指定してリストア処理を実行するといったケースが考えられる。間違ったバックアップ識別子でリストア処理をおこなった場合には、最悪の場合には、データの上書きによってデータを消失するという危険性もある。また、ユーザがバックアップ識別子の取得するための手間も煩わしく、時間を要することになる。
【０００８】
本発明は、上記問題点を解決するためになされたもので、その目的は、バックアップ時にバックアップ識別子を生成し、そのバックアップ識別子によりリストアをおこなうバックアップ・リストアプログラムを用いる場合に、バックアップ識別子を自動的に取得して、リストアを簡便におこなえるようにし、ユーザのリストア時のミスをなくすことのできるバックアップ・リストア方法を提供することにある。
【０００９】
【課題を解決するための手段】
本発明のデータのバックアップ・リストア方法では、データのバックアップ実行時に、前記バックアップ・リストアプログラムがバックアップ処理の管理のために作成したバックアップ識別子を取得する。そして、バックアップ識別子を含んだリストア処理定義ファイルを作成する。
【００１０】
データのリストア実行時には、リストア定義ファイル名を指定して、作成されたリストア処理定義ファイルによりリストアをおこなうようにする。
【００１１】
バックアップ識別子は、例えば、バックアップ・リストアプログラムで実行されるバックアップ実行コマンドの標準出力ファイルヘの出力から取得すればよい。
【００１２】
リストア処理定義ファイル名は、ユーザが指定してもよいし、システムで自動生成するようにしてもよい。
【００１３】
【発明の実施の形態】
以下、本発明に係る一実施形態を、図１ないし図８を用いて説明する。
【００１４】
先ず、図１および図２を用いて本発明に係るデータのバックアップ・リストア方法を実行するための計算機システムのシステム構成について説明する。
図１は、本発明に係るデータのバックアップ・リストア方法を実行するための計算機システムのハードウェア構成図である。
図２は、図１に示された計算機システムの構成でソフトウェア構成を詳細に示した構成図である。
【００１５】
図１に示されるように、本発明に係るデータのバックアップ・リストア方法を実行するための計算機システムでは、ホスト計算機１００に、被バックアップ装置２００、バックアップ装置３００、ディスプレイ装置１１０、キーボード装置１２０が接続された構成になっている。
【００１６】
ホスト計算機１００は、バス１０５にＣＰＵ１０１、メモリ１０２、記憶装置インタフェース１０３、入出力装置インタフェース１０４が接続された構成になっており、メモリ１０２にプログラムがロードされてＣＰＵ１０１により解釈実行される。
【００１７】
記憶装置インタフェース１０３は、種々の記憶装置とのインタフェースを司る部分であり、被バックアップ装置２００、バックアップ装置３００、ローカルストレージ装置１３０が接続されている。
【００１８】
また、入出力装置インタフェース１０４は、種々の入出力装置とのインタフェースを司る部分であり、ディスプレイ装置１１０、キーボード装置１２０が接続されている。
【００１９】
このシステムでは、被バックアップストレージ装置２００に格納されているデータがバックアップ装置３００にバックアップされる。また、バックアップ装置３００にバックアップされたデータを被バックアップストレージ装置２００にリストアする。
【００２０】
被バックアップストレージ装置２００は、主にハードディスクドライブ装置である。バックアップ装置３００は、磁気テープ装置、光ディスク装置、ハードディスクドライブ装置などが使われる。
【００２１】
これらは、被バックアップストレージ装置２００、バックアップ装置３００は、例えば、ＳＣＳＩ（Ｓｍａｌｌ  Ｃｏｍｐｕｔｅｒ  Ｓｙｓｔｅｍ  Ｉｎｔｅｒｆａｃｅ）により接続される。また、図１では、ホスト計算機１００とこれらの装置は、ローカル接続になっているが、ＳＡＮ（Ｓｔｏｒａｇｅ  Ａｒｅａ  Ｎｅｔｗｏｒｋ）により接続してもよい。
【００２２】
また、キーボード装置１２０よりバックアップ・リストアのコマンドを入力し、ディスプレイ装置１１０に、バックアップ・リストアの結果や履歴などが表示される。
【００２３】
ホスト計算機１００にはローカルストレージ装置１３０が接続されており、ローカルストレージ装置１３０には、当該ホスト計算機１００が動作するために必要となる各種プログラム、ファイル等が格納されている。
【００２４】
さて、ホスト計算機１００には、図２に示されるように搭載されたメモリ１０２上に、オペレーティングシステム（ＯＳ）１０００、バックアップ・リストア管理プログラム２１００がロードされて実行される。
【００２５】
バックアップ・リストア管理プログラム２１００は、バックアップ・リストアプログラム２１００、リストア処理定義情報取得プログラム２２００およびリストア処理定義プログラム２３００からなっている。
【００２６】
バックアップ・リストアプログラム２１００は、バックアップ・リストアをおこない、バックアップをおこなったときに、バックアップ識別子を返すプログラム本体の部分である。リストア処理定義情報取得プログラム２２００は、バックアップ・リストアプログラム２１００が作成したバックアップ識別子を取得する。リストア処理定義プログラム２３００は、リストアプログラム２１００が取得したバックアップ識別子を基にして、リストアに必要なリストア処理情報を生成する。なお、これらの処理については、後に詳細に説明する。
【００２７】
また、ローカルストレージ装置１３０には、ＯＳｌ０００に関連するファイルやバックアップ・リストアプログラム２１００に関連する各種ファイルが格納される。このバックアップ・リストアプログラム２１００に関連するファイルとして、バックアップ処理定義ファイル１２００およびリストア処理定義ファイル１３００がある。
【００２８】
バックアップ処理定義ファイル１２００には、バックアップ処理を実行するためのバックアップ・リストアプログラム２１００のコマンドやＯＳ１０００のコマンドが記述される。リストア処理定義ファイル１３００には、リストア処理を実行するためのバックアップ・リストアプログラム２１００のコマンドやＯＳｌ０００のコマンドが記述される。ホスト計算機１００からバックアップ処理定義ファイル１２００あるいはリストア処理定義ファイル１３００を指定して、バックアップ・リストアプログラム２１００に対して、実行を指示することにより、両ファイルに定義されたバックアップ処理あるいはリストア処理が実行される。
【００２９】
次に、図３ないし図５を用いて本発明のデータのバックアップ・リストア方法に関係するデータについて説明する。
図３は、バックアップ処理定義ファイルの一例を示す模式図である。
図４は、リストア処理定義ファイルの一例を示す模式図である。
図５は、標準出力ファイルに出力するメッセージの一例を示す模式図である。
【００３０】
図３に示されたバックアップ処理定義ファイル１２００は、１つのコマンド１２１０のみから構成されるが、複数個のコマンドから構成される場合もある。
【００３１】
コマンド１２１０「ＢａｃｋｕｐＦＳ」は、ファイルシステムのバックアップを実行するコマンドである。そして、キーワード形式のパラメータにより、実行させる機能、関係する情報を指示する。
【００３２】
「ＢａｃｋｕｐＦｒｏｍＶｏｌ＝」ではバックアップ対象のファイルシステムが格納されているバックアップ対象ボリュームのポリューム名を指定する。「ＭＰＤＮａｍｅ」ではバックアップ対象のファイルシステムのマウントポイントディレクトリ名を指定する。すなわち、このパラメタにより指定された“ＦＳ１”というファイルシステムのディレクトリ、ファイルがバックアップ対象となる。「ＢａｃｋｕｐＴｏＶｏｌ＝」ではバックアップ先のボリュームのボリューム名を指定する。
【００３３】
「ＢａｃｋｕｐＴｙｐｅ＝」では、バックアップの種類、すなわち、差分バックアップ、増分バックアップ、フルバックアップをするかを指定する。図３では、“ＦＵＬＬ”が指定されており、フルバックアップをおこなうことを示している。
【００３４】
ここまでは、既存のバックアップ・リストア管理ソフトウェアにも含まれているパラメタであるが、以下のパラメタは、本発明に特有のパラメタであるということができる。
【００３５】
「ＲｅｓｔｏｒｅＤｅｆ＝」ではリストア処理の定義をおこなうか否かを指定する。「ＹＥＳ」なら定義をおこない、「ＮＯ」なら定義をおこなわない。すなわち、「ＹＥＳ」ならリストア処理定義ファイル１３００が作成され、「ＮＯ」ならリストア処理定義ファイル１３００は作成されない。
【００３６】
「ＲｅｓｔｏｒｅＤｅｆＦｉｌｅ＝」ではリストア処理を定義するリストア処理定義ファイル１３００のファイル名を指定する。図３では、“ＲｅｓｔｏｒｅＤｅｆｉｎｉｔｉｏｎ１”というファイル名が指定されている。また、リストア処理定義ファイル１３００のファイル名を自動生成するような機能を持たせてよい。例えば、ＲｅｓｔｏｒｅＤｅｆＦｉｌｅ＝“Ａｕｔｏ”と指定されると、リストア処理定義ファイル１３００のファイル名を自動生成するようにし、ファイル名を接頭辞＋バックアップ識別子＋バックアップ日時として作成する。この方法では、接頭辞が“ＲｅｓｔｏｒｅＤｅｆ”、バックアップ識別子が、“０６”、バックアップ日時が２００３年５月９日、１５時２０分のときには、ファイル名は、“ＲｅｓｔｏｒｅＤｅｆ−０６−２００３０５０９−１５２０”などとなる。
【００３７】
なお、本実施形態では、ファイルシステムのアックアップの例を示すが、データベースのバックアップの場合でも同様に実現することができる。
【００３８】
リストア処理定義ファイル１３００は、図４に示されるように、リストアのための情報を含んだファイルである。図４に示された例は、リストア処理定義ファイル１３００は、１つのコマンド１３１０のみから構成されているが、複数個のコマンドから構成される場合もある。
【００３９】
コマンド１３１０「ＲｅｓｔｏｒｅＦＳ」は、ファイルシステムのリストアを実行するコマンドである。そして、キーワード形式のパラメータにより、リストア時に、関係する情報を指示する。
「ＲｅｓｔｏｒｅＦｒｏｍＶｏｌ＝」ではリストアするデータが格納されているボリュームのボリューム名を指定する。
【００４０】
「ＢａｃｋｕｐＩＤ＝」ではリストア対象のバックアップ識別子を指定する。本発明の大きな特徴としては、バックアップ・リストアプログラム２１００がバックアップ時に生成するバックアップ識別子がリストア定義ファイルに含まれているのことがある。ユーザは、リストア時には、リストア定義ファイルのファイル名を指定してリストアをおこない、バックアップ識別子を意識せずともよい。
【００４１】
「ＲｅｓｔｏｒｅＴｏＶｏｌ＝」ではリストア先のボリュームのボリューム名を指定する。
【００４２】
バックアップを実行したときに、図５に示されるようなメッセージが標準出力ファイルに出力される。
【００４３】
メッセージ１４１０「Ｂａｃｋｕｐ  ｉｓ  ｓｕｃｃｅｅｄｅｄ．」は、バックアップが成功したことを示している。メッセージ１４２０「Ｂａｃｋｕｐｐｅｄ  Ｍｏｕｎｔｐｏｉｎｔ  Ｄｉｒｅｃｔｏｒｙ＝ＦＳｌ．」は、ファイルシステムのマウントポイントディレクトリＦＳｌがバッグアップされたことを示している。メッセージ１４３０「ＢａｃｋｕｐＩＤ＝２４．」は、当該バックアップにおいてバリクアップ・リストア管理ソフトウェア１１００により割り当てられたバックアップ識別子が“２４”であることを示している。
【００４４】
すなわち、ここでバックアップしたデータをリストアする場合には、バックアップ識別子として“２４”を指定しなければならない。
【００４５】
次に、図６ないし図８を用いて本発明のデータのバックアップ・リストア方法について説明する。
図６は、本発明のデータのバックアップ・リストア方法によるバックアップ処理を説明するフローチャートである。
図７は、リストア処理定義情報取得プログラム２２００によるリストア定義情報取得処理を説明するフローチャートである。
図８は、リストア処理定義プログラム２３００によるリストア定義処理を説明するフローチャートである。
【００４６】
バックアップを実行する際には、図３のバックアップ処理定義ファイル１３００に記述したバックアップのコマンドが起動される（ステップ４０１０）。そして、バックアップ識別子を割り当て、バックアップカタログに登録する（ステップ４０２０）。
【００４７】
リストアのためのバックアップ処理の特定は、このバックアップ識別子を指定することによりおこない、バックアップ識別子を指定することにより、バックアップしたときの情報を参照できるようになる。具体的には、ディレクトリ、ファイルなどのバックアップをおこなった対象、バックアップ日時、バックアップの種類（差分バックアップかフルバックアップかなど）、バックアップの成否などである。
【００４８】
そして、バラメータで指定されたファイルシステムのバックアップを実行する（ステップ４０３０）。
【００４９】
バックアップが終了すると、バックアップ終了のメッセージを標準出力に出力する（ステップ４０３５）。このメッセージの例は、既に図５に示した如くである。
【００５０】
そして、バックアップコマンドのパラメタで「ＲｅｓｔｏｒｅＤｅｆ＝ＹＥＳ」なら（ステップ４０４０）、リストア処理定義情報取得プログラム２２００によるリストア処理定義情報取得処理を呼び出す（ステップ４０５０）。
【００５１】
このとき、パラメータとして、「ＲｅｓｔｏｒｅＤｅｆＦｉｌｅ＝」で指定されるリストア処理定義ファイル１３００のファイル名をリストア処理定義情報取得処理に渡すようにする。
【００５２】
次に、リストア処理定義プログラム２３００によるリストア処理定義プログラムを呼び出し（ステップ４０６０）、処理を終了する（ステップ４０７０）。
【００５３】
このときに、パラメータとして、ステップ４０５０で返されたバックアップ識別子、「ＲｅｓｔｏｒｅＤｅｆＦｉｌｅ＝」で指定されるリストア処理定義ファイル１３００のファイル名、「ＢａｃｋｕｐＦｒｏｍＶｏｌ＝」で指定されるバックアップ対象のファイルシステムが格納されているバックアップ対象ボリュームのボリューム名、および「ＢａｃｋｕｆＩＴｏＶｏｌ＝」で指定されるバックアップ先ボリュームのボリューム名をリストア処理定義処理に渡すようにする。
【００５４】
また、ステップ４０４０において、バックアップコマンドのパラメタで「ＲｅｓｔｏｒｐＤｅｆ＝ＮＯ」なら、処理を終了する（ステップ４０７０）。
【００５５】
次に、図７によりリストア処理定義情報取得プログラム２２００によるリストア処理定義情報取得処理について説明する。
【００５６】
これは、図６のフローチャートのステップ４０５０で呼び出される処理である。
【００５７】
ステップ４０５０で呼び出されるときには、パラメータとして、リストア処理定義ファイル１３００のファイル名を受け取る（ステップ２０１０）。
【００５８】
一方、図５に示したように、ＯＳ１０００やバックアップ・リストアプログラム２１００のコマンドの実行時には、実行したコマンドの実行結果のメッセージが標準出力ファイルに出力される。すなわち、バックアップ・リストアプログラム２１００のバックアップのためのコマンドを実行した場合、当該バックアップ・リストアプログラム２１００により割り当てられたバックアップ識別子が標準出力ファイルに出力される。
【００５９】
リストア処理定義情報取得処理では、標準出力ファイルを監視して、最新の「ＢａｃｋｕｐＩＤ＝」という文字列を探し、「ＢａｃｋｕｐＩＤ＝」と「．」の間の文字列を抜き出す（ステップ２０２０）。
【００６０】
図５の例では、“２４”というバックアップ識別子が抜き出されることになる。そして、ステップ２０２０で抜き出した文字列（バックアップ識別子）を呼び出し元に返すパラメタに設定してリターンする（ステップ２０３０）。
【００６１】
この実施形態では、標準出力ファイルよりバックアップ識別子を取得したが、直前におこなったバックアップのバックアップ識別子を取得する内部インタフェースを設け、それによりバックアップ識別子を取得するようにしてもよい。
【００６２】
次に、図７によりリストア処理定義プログラム２３００によるリストア処理定義処理について説明する。
【００６３】
これは、図６のフローチャートのステップ４０６０で呼び出される処理である。
【００６４】
ステップ４０６０から呼び出されるときに、パラメータとして、バックアップ識別子、バックアップ対象ボリュームのボリューム名、バックアップ先ボリュームのボリューム名、およびリストア処理定義ファイル１３００のファイル名を受け取る（ステップ３０１０）。
【００６５】
そして、指定されたファイル名でリストア処理定義ファイル１３００を作成し（ステップ３０２０）、その内容として、受け取ったパラメータを用いてＲｅｓｔｏｒｅＦＳコマンドを設定し（ステップ３０３０）、リターンする（ステップ３０４０）。
【００６６】
本実施形態の例では、リストア処理定義ファイルのファイル名は“ＲｅｓｔｏｒｅＤｅｆｉｎｉｔｉｏｎｌ”である。そして、ＲｅｓｔｏｒｅＦＳコマンドのパラメータとして「ＲｅｓｔｏｒｅＦｒｏｍＶｏｌ＝Ｖｏ１２」、「ＢａｃｋｕｐＩＤ＝２４」，「ＲｅｓｔｏｒｅＴｏＶｏｌ＝Ｖｏｌｌ」が設定される。
【００６７】
そして、図には示さなかったが、このリストア処理定義ファイル１３００を実行することにより、バックアップ識別子が“２４”のバックアップ処理に対応したリストア処理が実行される。
【００６８】
リストア処理を実行するユーザとしては、リストア処理定義ファイルのファイル名として、“ＲｅｓｔｏｒｅＤｅｆｉｎｉｔｉｏｎｌ”を指定すればよく、システムが生成するバックアップ識別子を意識せずとも、リストア処理をおこなうことができるというメリットがあり、これにより、リストア時のミスなどを防止することができる。
【００６９】
【発明の効果】
本発明によれば、バックアップ時にバックアップ識別子を生成し、そのバックアップ識別子によりリストアをおこなうバックアップ・リストアプログラムを用いる場合に、バックアップ識別子を自動的に取得して、リストアを簡便におこなえるようにし、ユーザのリストア時のミスをなくすことのできるバックアップ・リストア方法を提供することができる。
【図面の簡単な説明】
【図１】本発明に係るデータのバックアップ・リストア方法を実行するための計算機システムのハードウェア構成図である。
【図２】図１に示された計算機システムの構成でソフトウェア構成を詳細に示した構成図である。
【図３】バックアップ処理定義ファイルの一例を示す模式図である。
【図４】リストア処理定義ファイルの一例を示す模式図である。
【図５】標準出力ファイルに出力するメッセージの一例を示す模式図である。
【図６】本発明のデータのバックアップ・リストア方法によるバックアップ処理を説明するフローチャートである。
【図７】リストア処理定義情報取得プログラム２２００によるリストア定義情報取得処理を説明するフローチャートである。
【図８】リストア処理定義プログラム２３００によるリストア定義処理を説明するフローチャートである。
【符号の説明】
１００…ホスト計算機、１１０…ディスプレイ装置、１２０…キーボード装置、１３０…ローカルストレージ装置、２００…被バックアップストレージ装置、３００…バックアップ装置、４００…メモリ、１０００…オペレーティングシステム（ＯＳ）、１２００…バックアップ処理定義ファイル、１３００…リストア処理定義ファイル、２０００…バックアップ・リストア管理プログラム、２１００…バックアップ・リストアプログラム、２２００…リストア処理定義情報取得プログラム、２３００…リストア処理定義プログラム。
【図１】
2004355093.tif 000003
【図２】
2004355093.tif 000004
【図３】
2004355093.tif 000005
【図４】
2004355093.tif 000006
【図５】
2004355093.tif 000007
【図６】
2004355093.tif 000008
【図７】
2004355093.tif 000009
【図８】
2004355093.tif 000010